(57)【特許請求の範囲】
【請求項１】
音声を送受信するマイク及びスピーカをそれぞれ両端部に配設するハンドセット本体部により構成されるハンドセット送受話器であって、
前記ハンドセット本体部のほぼ中央部には、使用者が把持自在な筒状体として形成されると共に、当該使用者の頬部に対して当接自在な把持部を備え、
前記ハンドセット本体部の上端部には、当該ハンドセット本体部を前記使用者の耳に対して係脱自在な係脱孔を有し、該係脱孔が左右いずれかの耳に係止された場合に、該耳の耳朶付近と当接可能な位置に切り欠き部が形成されるイヤーフックを備え、
前記イヤーフックの基端部には、前記ハンドセット本体部の上端部に設けられた中心軸を中心に時計方向および反時計方向に所定の角度だけ回動自在な回動機構を有し、
前記イヤーフックの前記係脱孔を前記耳に係止した場合に、前記ハンドセット本体部が前記使用者の頬部に向けて回動するように、前記耳と前記イヤーフックとの当接点であると共に前記ハンドセット本体部を支持する支点と、当該ハンドセット本体部の重心との距離が位置関係として設定されることを特徴とするハンドセット送受話器。
【請求項２】
前記ハンドセット本体部を形成する前記把持部の一側面が盛り上がって形成され、前記ハンドセット本体部が回動した場合に盛り上がって形成された前記把持部の一側面が前記頬部に当接することを特徴とする請求項１に記載のハンドセット送受話器。
【請求項３】
前記ハンドセット本体部と接合するイヤーフックの連結腕部は、屈曲自在な弾性部材により形成されていることを特徴とする請求項１または２に記載のハンドセット送受話器。
【請求項４】
通信ケーブルは、前記ハンドセット本体部の上端部から延出される位置に固設され、該通信ケーブルの自重が前記重心に作用して、前記ハンドセット本体部が前記頬部に向けて回動されることを特徴とする請求項１〜３の何れか１つに記載のハンドセット送受話器。
【発明の詳細な説明】
【技術分野】
【０００１】
本発明は、ハンドセット送受話器に関し、詳細には、ハンドセットとして使用できると共に、ハンドセット送受話器に設けたイヤーフックを耳に装着してヘッドセットとして使用できるハンドセット送受話器に関する。
【背景技術】
【０００２】
従来から、着信時などに送受話器を手で持ち受話側を耳に当接させ通話を行なうハンドセット送受話器が知られている（例えば、特許文献１）。
【０００３】
また、テレビ電話システムやコールセンターなどでは、フリーとして通話を行なうことができるヘッドセットとして使用する送受話器が知られている（例えば、特許文献２）。このようなヘッドセット用の送受話器の場合には、使用者の両手がハンズフリーとなるため、通話を行ないながらパソコンの操作などの通話とは別の作業を行なうことができる。
【先行技術文献】
【特許文献】
【０００４】
【特許文献１】特開平５−３０４５５３号公報
【特許文献２】特開平８−２１４０５０号公報
【発明の概要】
【発明が解決しようとする課題】
【０００５】
しかしながら、上述したハンドセット用の送受話器を使用する場合には、通話時には、左右何れか一方の手で送受話器を持つ必要があり、両手を自由にすることができない。すなわち、片手が拘束されてしまうため、パソコンの操作を行ったり、別の作業を行なったりすることができないという問題がある。具体的には、ハンドセット型の送受話器では、両手を自由にするためには、耳と肩に送受話器を挟んだ状態で、通話やパソコン操作を行なう必要があり、作業性が良くないという問題がある。
【０００６】
また、送受話器を使用者の耳に装着してヘッドセットとして使用する場合には、両手が自由となるため、通話を行いながらパソコン操作なども同時に行うことができるが、常に送受話器を頭に装着させておく必要があるという問題がある。
【０００７】
すなわち、ヘッドセット用の送受話器の場合には、ハンズフリーとして通話を行なうことができるが、送受話器を予め頭に装着しておく必要があるため、装着の手間や咄嗟の着信時になどに対応が遅れるという問題がある。また、ヘッドセットをしたまま別の場所に移動する時などには邪魔となってしまうという問題がある。
【０００８】
本発明は、上記課題に鑑みてなされたものであり、ハンドセットとしての機能を備えると共に、必要に応じて簡単に耳に装着することができるヘッドセットとしての機能も備えたハンドセット送受話器を提供することを目的とする。
【課題を解決するための手段】
【０００９】
上述した課題を解決し、目的を達成するために、本発明にかかるハンドセット送受話器は、音声を送受信するマイク及びスピーカをそれぞれ両端部に配設するハンドセット本体部により構成されるハンドセット送受話器であって、前記ハンドセット本体部のほぼ中央部には、使用者が把持自在な筒状体として形成されると共に、当該使用者の頬部に対して当接自在な把持部を備え、前記ハンドセット本体部の上端部には、当該ハンドセット本体部を前記使用者の耳に対して係脱自在な係脱孔を有するイヤーフックを備え、前記イヤーフックの前記係脱孔を前記耳に係止した場合に、前記ハンドセット本体部が前記使用者の頬部に向けて回動するように、前記耳と前記イヤーフックとの当接点であると共に前記ハンドセット本体部を支持する支点と、当該ハンドセット本体部の重心との距離が位置関係として設定されることを特徴とする。
【００１０】
つぎの発明にかかるハンドセット送受話器において、前記支点と前記重心との位置関係は、前記ハンドセット本体部の内部に設けられる制御基板と前記スピーカの配設位置または当該制御基板及び当該スピーカの重量に基づいて設定されることを特徴とする。
【００１１】
つぎの発明にかかるハンドセット送受話器において、前記支点と前記重心との位置関係は、前記スピーカと当該スピーカを収納する筐体及び前記ハンドセット本体部の内部に配設される制御基板と当該制御基板を収納する筐体と、前記マイク及び当該マイクを収納する筐体との重量比に基づいて設定されることを特徴とする。
【００１２】
つぎの発明にかかるハンドセット送受話器において、前記ハンドセット本体部を形成する前記把持部の一部には、前記ハンドセット本体部が回動した場合に前記頬部に当接すると共に、当該把持部と一体化するように形成された突起状部が設けられることを特徴とする。
【００１３】
つぎの発明にかかるハンドセット送受話器において、前記イヤーフックには、当該イヤーフックの前記係脱孔が前記耳に係止された場合に耳朶との当接を回避する切り欠き部が形成されることを特徴とする。
【００１４】
つぎの発明にかかるハンドセット送受話器において、前記イヤーフックの基端部には、前記ハンドセット本体部に対して所定の角度に回動自在な回動機構を有することを特徴とする。
【００１５】
つぎの発明にかかるハンドセット送受話器において、前記ハンドセット本体部と前記イヤーフックとの接合部には、当該イヤーフックの配設角度を変形自在とする弾性部材が設けられることを特徴とする。
【００１６】
つぎの発明にかかるハンドセット送受話器において、通信ケーブルは、前記ハンドセット本体部の上端部から延出される位置に固設されることを特徴とする。
【発明の効果】
【００１７】
本発明においては、ハンドセットとしての機能を備えると共に、必要に応じて簡単に耳に装着することができるヘッドセットとしての機能も備えたハンドセット送受話器を提供することができる。
【図面の簡単な説明】
【００１８】
【図１】図１は、ハンドセット送受話器をヘッドセットとして耳に装着した状態を示す正面図である。
【図２】図２は、ハンドセット送受話器をヘッドセットとして耳に装着した状態を示す側面図である。
【図３−１】図３−１は、ハンドセット送受話器をスタンドにセットした状態を示す説明図である。
【図３−２】図３−２は、ハンドセット送受話器をヘッドセットとして耳に装着した状態の別例を示す側面図である。
【図４】図４は、ハンドセット送受話器をハンドセットとして使用する状態を説明する図である。
【図５】図５は、実施例１にかかるハンドセット送受話器の全体構成を示す斜視図である。
【図６】図６は、ハンドセット送受話器の背面を示す斜視図である。
【図７】図７は、ハンドセット送受話器の全体構成を示す平面図である。
【図８】図８は、ハンドセット送受話器の背面を示す平面図である。
【図９】図９は、ハンドセット送受話器を示す縦断面図である。
【図１０】図１０は、ハンドセット送受話器を示す側面図である。
【図１１】図１１は、イヤーフックの変形時のハンドセット送受話器を示す側面図である。
【図１２】図１２は、イヤーフックの右方向への回動を示す平面図である。
【図１３】図１３は、イヤーフックの左方向への回動を示す平面図である。
【図１４】図１４は、ハンドセット送受話器を耳に取り付けた時の状態を示す正面図である。
【図１５】図１５は、ハンドセット送受話器を耳に装着した時の作動状態を示す正面図である。
【図１６】図１６は、ハンドセット送受話器を耳に装着した時の作動状態を示す側面図である。
【図１７】図１７は、実施例２にかかるハンドセット送受話器の全体構成を示す側面図である。
【発明を実施するための形態】
【００１９】
以下に添付図面を参照して、この発明にかかるハンドセット送受話器の実施例を詳細に説明する。なお、この実施例によりこの発明が限定されるものではない。また、下記実施例における構成要素には、当業者が容易に想定できるものまたは実質的に同一のものが含まれる。以下の実施例では、パーソナルコンピュータにＵＳＢ（Universal  Serial  Bus）ケーブルを使用して接続される送受話器を一例を挙げて説明するが、本発明のハンドセット送受話器はこれに限られるものではない。
【実施例１】
【００２０】
［ハンドセット送受話器の使用形態］
以下、図１〜図４を用いて、実施例１にかかるハンドセット送受話器の使用形態の概要について説明する。図１は、ハンドセット送受話器を耳に装着した状態を示す正面図を、図２は、ハンドセット送受話器を耳に装着した状態を示す側面図である。また、図３−１は、ハンドセット送受話器をスタンドにセットした状態を示す説明図である。
【００２１】
本実施例１のハンドセット送受話器は、ハンドセットとしての機能を備えると共に、イヤーフックを利用して、耳に簡単に装着することができるヘッドセットとしての機能を備えている。すなわち、図１、２に示すように、本実施例では、ハンドセット送受話器１を構成するハンドセット本体部２０に設けたイヤーフック３０により、このハンドセット送受話器１をヘッドセット用の送受話器として使用することができる。
【００２２】
図１、２に示すように、ハンドセット送受話器１は、上端部（図１、図２の上部）に配設したスピーカ２と、下端部（図１、図２の下部）に配設したマイク８とを有するハンドセット本体部２０により構成される。ハンドセット送受話器１を形成するハンドセット本体部２０には、使用者が手で把持自在の筒状部として形成された把持部２４が設けられている。
【００２３】
また、把持部２４の一部（側面部）には、突出するように形成された凸状部２４ａが設けられている。図１、２に示すように、本実施例では、ハンドセット送受話器１を装着した場合には、ハンドセット本体部２０の把持部２４に設けた凸状部２４ａが使用者の頬部に当接するように構成されている。
【００２４】
また、ハンドセット送受話器１の上部（図１、図２の上部）には、ハンドセット送受話器１を耳に取り付けるためのイヤーフック３０が設けられている。すなわち、ハンドセット送受話器１をヘッドセットとして使用する場合には、イヤーフック３０の係脱孔として形成された円孔部３５（図２）を耳に係止させ取り付けることにより、ハンドセット送受話器１を装着することができる。
【００２５】
ここで、本実施例１では、ハンドセット送受話器１の装着時、イヤーフック３０を耳に取り付けた場合に、ハンドセット送受話器１を、イヤーフック３０と耳との当接部（第１の支点Ｐ１）で支持すると共に、ハンドセット送受話器１を所定の方向（頬部側）に回動させる構成としている。すなわち、ハンドセット送受話器１の回動に伴う押し付け力により、使用者の頬部にハンドセット本体部２０の把持部２４を当接できる構成としている。
【００２６】
概略的に説明すると、図１、２に示すように、ハンドセット送受話器１のイヤーフック３０が耳に取り付けられた場合には、耳とイヤーフック３０との当接部がハンドセット送受話器１を支持する支点（第１の支点Ｐ１）となる。また、ハンドセット送受話器１の上部側に重心Ｆが位置するため、このハンドセット送受話器１は、第１の支点Ｐ１を中心として頬部側に回動し、頬部に斜行した状態で装着される。これにより、ハンドセット送受話器１を安定した状態で装着することができると共に、回動に伴う押し付けにより発生する頬部と凸状部２４ａとの摩擦により安定した保持力を得ることができる。また、ハンドセット送受話器１のマイク８を口元の位置に正確に対向させることができる。
【００２７】
また、図１、２に示すように、通信ケーブル１１は、ハンドセット送受話器１の上端部から延出する方向に取り付け固定されている。すなわち、この通信ケーブル１１は、ハンドセット送受話器１により通話しながらパソコンを操作する時などに邪魔にならない位置に設けられている。
【００２８】
ここで、図３−１に示すように、ハンドセット送受話器１の上端部に設けられたＵＳＢ（Universal  Serial  Bus）ケーブルとして使用される通信ケーブル１１のコネクタ１３は、パソコン１５のＵＳＢ端子１６に接続されている。また、通常、ハンドセット送受話器１をヘッドセットとして使用しない時には、スタンド１７にセットされる。
【００２９】
これにより、ハンドセット送受話器１は、ヘッドセットとして使用しない場合に、スタンド１７にセットしておくことができる。そして、着信時や通話を行なう場合には、適宜、スタンド１７から取り外して、ヘッドセットとして使用することができる。
【００３０】
つぎに、ハンドセット送受話器を耳に装着した状態の別例について説明する。図３−２は、ハンドセット送受話器を耳に装着した状態の別例を示す側面図である。すなわち、図３−２では、ハンドセット送受話器１の装着時に、イヤーフック３０を回転させて、このイヤーフック３０を耳の角度に合わせた状態で、耳にホールドさせている。また、同時に耳朶をイヤーフック３０の円孔部３５に挿入させて固定した状態を示している。
【００３１】
この場合、図１、２で示したハンドセット送受話器１の装着時と同様に、イヤーフック３０は、耳との当接部（第１の支点Ｐ１）で支持されると共に、ハンドセット送受話器１を頬部側に回動させることができるため、この回動に伴う押し付け力により、使用者の頬部にハンドセット本体部２０の把持部２４を当接させる装着感を安定させることができる。また、この場合、耳全体をイヤーフック３０でホールドさせることができるため安定した状態を長時間維持することができる。
【００３２】
つぎに、ハンドセット送受話器１をハンドセットとして使用する状態について説明する。図４は、ハンドセット送受話器をハンドセットとして使用する状態を説明する図である。
【００３３】
すなわち、図４に示すように、本実施例では、ハンドセット送受話器１を形成するハンドセット本体部２０の一部（図４の中央部）には、手で把持自在に形成された把持部２４（図１、２）が設けられている。このため、ハンドセット送受話器１をヘッドセットではなくハンドセットとして使用する場合には、ハンドセット送受話器１の把持部２４を手に持った状態で、ハンドセット送受話器１のスピーカ２を耳に当接させることで通話を行なうことができる。
【００３４】
ここで、イヤーフック３０は、可撓性を有する連結腕部３２（図１１）を介してハンドセット送受話器１に固設されている。このため、図４に示すように、ハンドセット送受話器１をハンドセットとして使用した場合、イヤーフック３０は、ハンドセット本体部２０と接合された連結腕部３２の屈曲により通話の邪魔とならない水平位置まで押し倒すことができる。
【００３５】
以上説明したように、本実施例のハンドセット送受話器１は、ハンドセットとしての機能を備えると共に、ハンズフリーとして使用する場合には、必要に応じて、イヤーフック３０を利用することで、簡単に耳に装着することができるヘッドセット用の送受話器として使用することができる。
【００３６】
［ハンドセット送受話器の構成］
つぎに、図５〜図１３を用いて、ハンドセット送受話器１の構成の詳細について説明する。ここで、図５は、実施例１にかかるハンドセット送受話器の全体構成を示す斜視図を、図６は、ハンドセット送受話器の背面を示す斜視図である。また、図７は、ハンドセット送受話器の全体構成を示す平面図を、図８は、ハンドセット送受話器の背面を示す平面図である。また、図９は、ハンドセット送受話器を示す縦断面図を、図１０は、ハンドセット送受話器を示す側面図である。また、図１１は、イヤーフックの変形時のハンドセット送受話器を示す側面図である。また、図１２は、イヤーフックの右方向への回動を示す平面図である。また、図１３は、イヤーフックの左方向への回動を示す平面図である。
【００３７】
図５、６に示すように、ハンドセット送受話器１は、全体が長尺状に形成されたハンドセット本体部２０により構成され、ハンドセット本体部２０の上端部（図５、６の左側）には、通話時の音声を出力するスピーカ２が配設されている。
【００３８】
また、ハンドセット送受話器１の下端部（図５、６の右側）には、通話時の音声を入力するマイク８が配設されている。また、ハンドセット送受話器１の上端部（図５、６の左端部）には、ＵＳＢ（Universal  Serial  Bus）ケーブルとして使用される通信ケーブル１１が取り付け固定されている。
【００３９】
また、ハンドセット送受話器１を構成するハンドセット本体部２０の内部には、制御基板１２（図９）が設けられる。また、９は、通話ボタンであり、この通話ボタン９の押下（ＯＮ／ＯＦＦ）により通話を行なうことができる。また、１０は、着信ランプであり、この着信ランプ１０の点灯により着信が報知される。また、本実施例では、ハンドセット送受話器１を形成するハンドセット本体部２０のほぼ中央部には、使用者が手で把持自在な筒状体として形成された把持部２４が設けられている。
【００４０】
ハンドセット送受話器１を形成するハンドセット本体部２０は、前面ケース２１と背面カバー２９とを組み付け固定することで筐体ケースとして構成される。前面ケース２１は、長尺状の平板として形成された前面カバー２２と、前面カバー２２の両端部からほぼ直角に屈曲する一対の側面カバー２３とから構成される。
【００４１】
前面カバー２２の上部側には、下方に向けてほぼ直角に屈曲する屈曲凹部２５が設けられる。また、前面カバー２２の上端縁には、斜行するように形成された傾斜部２５ａが設けられる。傾斜部２５ａは、イヤーフック３０が屈曲した時に、このイヤーフック３０を形成するイヤーフック本体部３１（図１１）の一部（前端部）が斜行により配置される逃げ部として機能する。また、前面カバー２２の中央部から後端部にかけては、ハンドセット送受話器１の装着時に、使用者の口元にマイク８を対向させやすいように形成された湾曲部２５ｂが設けられている。
【００４２】
また、前面カバー２２のほぼ中央部に設けられた把持部２４の一部（側面部）には、この把持部２４の片側（図５、６の上側）に向けて突出された凸状部２４ａが形成されている。このように、ハンドセット送受話器１の把持部２４には、使用者の頬部に当接する凸状部２４ａが形成されているため、頬部に対して、ハンドセット送受話器１の把持部２４を密着させて当接させることができる。これにより、把持部２４の凸状部２４ａと頬部との相互間で作用する摩擦によって保持力が大きくなり、ハンドセット送受話器１の装着感を安定させることができる。
【００４３】
前面カバー２２に形成された屈曲凹部２５は、ほぼ直角に屈曲した段部２６と水平部２７とにより構成され、水平部２７の上面には、スピーカ２が内部に設けられたスピーカ・カバー３（ハウジング）が配設される。このため、ハンドセット送受話器１の装着による通話時には、耳にスピーカ２のスピーカ・カバー３が押し付けられることとなる。
【００４４】
図７〜図９に示すように、スピーカ・カバー３は、スピーカ２の形状と合わせて円形状に形成された上面カバー４及び下面カバー６とにより構成される。上面カバー４のカバー面のほぼ中央部には、円形凹部５及び複数の通孔４ａが形成されている。また、下面カバー６の下端部には、小径の円筒部７が形成されている。スピーカ・カバー３は、下面カバー６の円筒部７が屈曲凹部２５の水平部２７と接合することで固設されている。
【００４５】
また、前面カバー２２に設けられた屈曲凹部２５の上端部には、耳にハンドセット送受話器１を取り付けるためのイヤーフック３０が設けられている。イヤーフック３０は、全体が略扇形に形成されると共に、リング形状の円孔部３５を有するイヤーフック本体部３１と、円形状に形成された嵌合孔３３を有するベース板部３４とから構成される。ここで、水平部２７とベース板部３４との隙間には、金属製のワッシャ（図示せず）が設けられている。このワッシャは、イヤーフック３０が所定の方向に回動する場合に、摩擦を発生させるために設けられている。
【００４６】
イヤーフック本体部３１は、このイヤーフック本体部３１の形状と一致する略扇形に形成された耳に対する係脱孔として形成された円孔部３５が設けられている。すなわち、前述したように、イヤーフック３０の円孔部３５を使用者の耳に係止させ取り付けることで、ハンドセット送受話器１を耳に装着させることができる。
【００４７】
イヤーフック３０を形成する円孔部３５は、大径の円孔３６と、この円孔３６の端部と連続する共に半円形状に形成された半円孔３７とから構成される。イヤーフック３０の円孔部３５を形成する円孔３６は、耳が係脱自在となる大きさに形成されている。また、イヤーフック３０の円孔部３５を形成する半円孔３７は、ハンドセット本体部２０に配設されたスピーカ・カバー３に対する逃げ孔として機能する。
【００４８】
ここで、イヤーフック３０を構成するイヤーフック本体部３１の形状は、従来のように半円形ではない。すなわち、このイヤーフック３０を形成するイヤーフック本体部３１の後部側には、切り欠き部３１ａを設けている。すなわち、円孔部３５の大きさや切り欠き部３１ａの配置位置は、適宜設計段階で調整することができる。例えば、円孔部３５の大きさを、小さな寸法（Ｓ）、中くらいの寸法（Ｍ）、大きな寸法（Ｌ）と分けて設定することができる。これにより、ハンドセット送受話器１を装着した場合に、前述した角度調整機構（回動機構３８）によりイヤーフック３０が耳全体を包み込むような角度にした上で、より安定感を重視して、耳朶を円孔部３５の内側に容易に巻き込むように構成することができるし、或いは、逆に、切り欠き部３１ａと耳朶との相対的な位置関係により、耳朶を円孔部３５の内側に巻き込むことを防止するように構成することもできる。ここで、後者の場合には、イヤーフック３０が耳の上部付け根の部位にのみによってハンドセット本体部２０が係止されることで、このハンドセット送受話器１の脱着を一層容易とすることができる。
【００４９】
図９〜図１１に示すように、イヤーフック３０を形成するイヤーフック本体部３１とベース板部３４とは連結腕部３２を介して接合されている。連結腕部３２には、弾性を有することで屈曲自在な可撓性樹脂材が使用される。このため、ハンドセット送受話器１に設けられイヤーフック３０は、連結腕部３２の弾性変形を利用して所定の位置（斜行位置）から屈曲させることができる。
【００５０】
具体的に説明すると、ハンドセット送受話器１をハンドセットとして使用する場合には、送受話器１を手に持ちスピーカ２のスピーカ・カバー３を耳に当接することで、通話を行なうこととなるが、この場合、図１１に示すように、イヤーフック３０を構成する連結腕部３２により、このイヤーフック３０を水平位置まで屈曲させることができる。
【００５１】
すなわち、ハンドセット送受話器１を、イヤーフック３０を耳に取り付けて装着するヘッドセットではなく、手で耳に装着させるハンドセットとして使用する場合、イヤーフック３０は、ハンドセット本体部２０と接合された連結腕部３２の屈曲により通話の邪魔とならない水平位置まで押し倒すことができる。なお、本実施例では、連結腕部３２に使用される可撓性樹脂材にはポリプロピレン（Polypropylene）が選定されている。
【００５２】
ここで、イヤーフック３０は、取り付け及び取り外し操作を容易とするために、ハンドセット送受話器１を構成するハンドセット本体部２０（図９）に対して、所定の角度（角度θ）に傾けた状態で配設している。すなわち、イヤーフック３０を形成するイヤーフック本体部３１の基端部は、ベース板部３４に連結された連結腕部３２の上端部に対して斜行するように取り付け固設されている。
【００５３】
具体的に説明すると、イヤーフック３０は、耳と対向する位置に配設されたスピーカ２（スピーカ・カバー３）と平行ではなく斜行する位置となるように配設されている。これにより、使用者の耳に対して、イヤーフック３０の円孔部３５を斜め方向から挿入させることができるため、イヤーフック３０を耳に取り付ける操作を簡単に行なうことができる。
【００５４】
ここで、本実施例では、ハンドセット送受話器１の装着時、イヤーフック３０を耳に取り付けた場合に、ハンドセット送受話器１を所定の方向（頬部側）に回動させると共に、この回動に伴う押し付け力を利用して、使用者の頬部にハンドセット送受話器１のハンドセット本体部２０（把持部２４）を当接させる構成としている。
【００５５】
また、耳にイヤーフック３０を取り付けた場合に、ハンドセット送受話器１が使用者の頬部に向けて回動するように、ハンドセット送受話器１を支持する第１の支点Ｐ１（図９）と重心Ｆ（図９）との位置関係が設定されている。すなわち、第１の支点Ｐ１と重心Ｆとの位置関係は、ハンドセット本体部２０の内部に設けられる制御基板１２（図９）とスピーカ２の配設位置または制御基板１２及びスピーカ２の重量に基づいて設定されている。
【００５６】
具体的には、図９に示すように、耳とイヤーフック３０との当接点であると共にハンドセット送受話器１を支持する第１の支点Ｐ１と、スピーカ２の配設位置、制御基板１２の配設位置（スピーカ２の重量、制御基板１２の重量）に基づく重心Ｆとの離隔距離が所定の距離（図９の距離Ｌ）となるように、イヤーフック３０の取り付け位置が設定されている。
【００５７】
すなわち、第１の支点Ｐ１と、ハンドセット送受話器１を形成するハンドセット本体部２０の重心Ｆとの離隔距離を距離Ｌ（図９）とした場合に、ハンドセット送受話器１は、第１の支点Ｐ１を中心として、頬部に向けて回動させることができる。そして、この場合、ハンドセット送受話器１の回動に伴う押し付け力により、把持部２４の凸状部２４ａを頬部に密着させることができる。なお、このハンドセット送受話器１を装着した時の回動動作の詳細については、後述する。
【００５８】
ここで、前述したように、第１の支点Ｐ１と重心Ｆとの位置関係（距離Ｌ）は、ハンドセット本体部２０の内部に設けられる制御基板１２（図９）とスピーカ２の配設位置または制御基板１２及びスピーカ２の重量に基づいて設定されている。また、ハンドセット送受話器１を形成するハンドセット本体部２０の上端部に配設されたスピーカ２とハンドセット本体部２０の上端部に配設されたマイク８との重量比によって設定することができる。このように、距離Ｌをスピーカ２、制御基板１２の配設位置、スピーカ２、制御基板１２の重さ、スピーカ２とマイク８との重量比に基づいて、適宜設定することにより、ハンドセット送受話器１を頬部に当接させる角度まで確実に回動させることができる。
【００５９】
また、図１２、図１３に示すように、本実施例において、ハンドセット送受話器１に設けたイヤーフック３０の向き（角度）は、このイヤーフック３０の基端部に設けた回動機構３８（図９、１０）により調整を可能とする構成としている。すなわち、イヤーフック３０を形成するベース板部３４に設けられた嵌合孔３３（図９）は、スピーカ・カバー３の下面カバー６に設けられた円筒部７に対して、回動自在となるように嵌合固定されている。
【００６０】
これにより、イヤーフック３０に設けた回動機構３８により、円筒部７を中心として左右何れかの方向に回動させることができる。すなわち、イヤーフック３０のイヤーフック本体部３１の向き（角度）を適宜調節することによりイヤーフック３０を左側または右側の耳部に装着することができる。
【００６１】
これによって、図１２、図１３に示すように、ハンドセット送受話器１を装着するイヤーフック３０の向きを、右側の耳または左側の耳に対する取り付けに応じて、適宜調整することにより、使用者の口元にマイク８の位置を正確に対向させることができる。
【００６２】
具体的には、図１２に示すように、イヤーフック３０のイヤーフック本体部３１を矢印Ａ方向（図１２の時計方向）に回動させた場合には、右用のヘッドセットとして、このイヤーフック３０を右側の耳に装着させることができる。また、図１３に示すように、イヤーフック３０のイヤーフック本体部３１を矢印Ｂ方向（図１３の反時計方向）に回動させた場合には、左用のヘッドセットとして、このイヤーフック３０を左側の耳に装着させることができる。
【００６３】
[ハンドセット送受話器１の装着時の動作]
つぎに、図１４〜図１６を用いて、ハンドセット送受話器１の装着時の作動状態の詳細について説明する。図１４は、ハンドセット送受話器を耳に取り付けた時の状態を示す正面図である。また、図１５は、ハンドセット送受話器を耳に装着した時の作動状態を示す正面図である。また、図１６は、ハンドセット送受話器を耳に装着した時の作動状態を示す側面図である。
【００６４】
図１４に示すように、使用者が、ハンドセット送受話器１のイヤーフック３０を耳に取り付けた場合には、耳とイヤーフック３０の円孔部３５（図１６）とが当接する。すなわち、ハンドセット送受話器１は、耳とイヤーフック３０との当接部において支持される。
【００６５】
具体的に説明すると、耳とイヤーフック３０との当接部が、ハンドセット送受話器１を耳に対して支持する支点（第１の支点Ｐ１）となる。ここで、前述したように、本実施において、イヤーフック３０は、耳と対向するスピーカ２（スピーカ・カバー３）と平行の位置ではなく斜行状態で配設されている。
【００６６】
これにより、図１４に示すように、使用者の耳に対して、イヤーフック３０の円孔部３５（図１６）を斜め方向から挿入させることができるため、イヤーフック３０を耳に取り付ける操作を簡単に行なうことができる。また、同様に、イヤーフック３０を耳から取り外す場合でも、ハンドセット送受話器１の把持部２４を手に持ってイヤーフック３０の位置を傾けるだけで、イヤーフック３０の円孔部３５と耳との当接を外すことができ、簡単に耳から外すことができる。
【００６７】
そして、このように、イヤーフック３０を使用して耳にハンドセット送受話器１を取り付けた場合には、重力Ｎと第１の支点Ｐ１とハンドセット送受話器１の重心との位置関係により、ハンドセット送受話器１は、第１の支点Ｐ１を支軸（中心）として所定の角度（図１５）だけ回動する。
【００６８】
すなわち、図１５に示すように、使用者がハンドセット送受話器１を装着するために、イヤーフック３０の円孔部３５が耳に係止された場合には、ハンドセット送受話器１（イヤーフック３０）が耳とイヤーフック３０の当接部（第１の支点Ｐ１）で支持される。また、第１の支点Ｐ１から離隔した位置には、ハンドセット送受話器１の重心Ｆが作用する。
【００６９】
これにより、ハンドセット送受話器１は、第１の支点Ｐ１を支点として、時計方向に回動するため、ハンドセット送受話器１のハンドセット本体部２０には、頬部側に向けて押し付ける力（押圧ベクトル）が作用する。この結果、この回動に伴う押し付け力により、ハンドセット本体部２０に設けた把持部２４の凸状部２４ａは頬部に当接する。
【００７０】
そして、このように、ハンドセット送受話器１の把持部２４の凸状部２４ａが頬部に当接した場合には、把持部２４の凸状部２４ａと頬部と間での密着により発生する摩擦により、装着力（保持力）が増大することとなり、ハンドセット送受話器１が安定した状態で装着されることとなる。また、図１５に示すように、ハンドセット送受話器１は、第１の支点Ｐ１を中心として頬部側に回動することにより、マイク８が口元の位置に配置させることとなる。
【００７１】
ここで、図１５、図１６に示すように、耳にハンドセット送受話器１のイヤーフック３０を装着した場合には、ハンドセット送受話器１のスピーカ２（スピーカ・カバー３）が押し付けられた位置が第２の支点Ｐ２となる。すなわち、ハンドセット送受話器１は、耳とイヤーフック３０との当接部である第１の支点Ｐ１と共に、ハンドセット送受話器１が回動後に、この第２の支点Ｐ２によっても支持される。
【００７２】
なお、使用者がハンドセット送受話器１を装着した状態で、正面の位置（図１５）から姿勢を傾けて下を向いた場合には、ハンドセット送受話器１のイヤーフック３０を耳に支持する支点は、耳とイヤーフック３０とが当接する第１の支点Ｐ１ではなく、主に、耳とスピーカ２（スピーカ・カバー３）との当接点（第２の支点Ｐ２）となる。
【００７３】
このため、使用者がハンドセット送受話器１を装着した状態で、姿勢を傾けた場合、ハンドセット送受話器１は、第２の支点Ｐ２で支持されると共に、重心Ｆの移動により、一時的に反時計方向に回動し、頬部から僅かに離隔した位置で保持される。
【００７４】
そして、使用者が傾いた姿勢から正面を向いた場合、ハンドセット送受話器１を支持する支点は、第１の支点Ｐ１となり、この第１の支点Ｐ１でハンドセット送受話器１は支持される。これにより、再び、ハンドセット送受話器１は、第１の支点Ｐ１を中心として頬部側に回動し、この頬部と当接した位置で停止する。
【００７５】
ここで、図１６に示すように、ハンドセット送受話器１が耳に装着された場合、使用者の耳の上部側は、イヤーフック３０と当接することとなるが、耳の下部側に位置する耳朶には、イヤーフック３０に形成された切り欠き部３１ａが位置する。これにより、ハンドセット送受話器１の装着時に、イヤーフック３０の一部（下部側）と耳の耳朶との当接により、ハンドセット送受話器１の装着位置が傾くことはなく、通話時などにハンドセット送受話器１の装着位置を安定した状態で維持することができる。
【００７６】
また、図１６に示すように、ハンドセット送受話器１の通信ケーブル１１は、このハンドセット送受話器１の上端部から延出する方向に取り付け固定されている。すなわち、例えば、通信ケーブル１１が下方に引っ張られた場合には、この通信ケーブル１１の下方への移動に伴って、イヤーフック３０が時計方向に回動すると共に、イヤーフック３０の円孔部３５の端縁部３５ａが耳に引っ掛かる。これによって、耳からイヤーフック３０が外れることが阻止されると共に、ハンドセット送受話器１が自重により耳から脱落することが防止される。
【００７７】
以上説明したように、本実施例のハンドセット送受話器１は、音声を送受信するマイク８及びスピーカ２をそれぞれ配設したハンドセット本体部２０により構成され、ハンドセット本体部２０の中央部には、使用者が把持自在な筒状体として形成されると共に、使用者の頬部に対して当接する把持部２４を備える。また、ハンドセット本体部２０の上端部には、当該ハンドセット本体部２０を使用者の耳に対して係脱自在な係脱孔として機能する円孔部３５が設けられたイヤーフック３０を備える。
【００７８】
また、耳にイヤーフック３０を取り付けた場合にハンドセット送受話器１が使用者の頬部に向けて回動するように、耳とイヤーフック３０との当接点であると共にハンドセット本体部２０を支持する支点（第１の支点Ｐ１）と、ハンドセット本体部２０の重心との位置関係（距離Ｌ）が設定されているので、ハンドセット送受話器１を第１の支点Ｐ１を中心として頬部側に回動させることができるため、この回動に伴う押し付け力により、頬部にハンドセット送受話器１の把持部２４を強く当接させることができる。これによって、ハンドセット送受話器１を強く保持できると共に、安定した状態で装着させることができる。
【実施例２】
【００７９】
［ハンドセット送受話器の構成］
つぎに、図１７を用いて、実施例２にかかるハンドセット送受話器１Ａの構成の詳細について説明する。図１７は、実施例２にかかるハンドセット送受話器の全体構成を示す側面図である。ここで、実施例２にかかるハンドセット送受話器１Ａの特徴は、ハンドセット送受話器１を構成するハンドセット本体部２０の形状全体を使用者の頬部の形状に合わせた湾曲形としたことにある。
【００８０】
すなわち、図１７に示すように、ハンドセット送受話器１Ａを形成するハンドセット本体部２０ａは、前面ケース２１と背面カバー２９ａとを組み付け固定することで筐体ケースとして構成される。また、ハンドセット送受話器１を形成するハンドセット本体部２０ａのほぼ中央部には、使用者が手で把持自在な筒状体として形成された把持部４０が設けられている。前面ケース２１は、長尺状の平板として形成された前面カバー２２と、前面カバー２２の両端部からほぼ直角に屈曲する一対の側面カバー２３とから構成される。背面カバー２９ａは、湾曲形に形成された斜行板２９ｂにより構成される。
【００８１】
また、前面カバー２２のほぼ中央部に設けられた把持部４０の一部（側面部）には、この把持部４０の片側（図１７の上側）に向けて突出された凸状部４１が形成されている。このように、ハンドセット送受話器１の把持部４０には、使用者の頬部に当接する凸状部４１が形成されているため、頬部に対して、ハンドセット送受話器１の把持部４０を密着させて当接させることができる。これにより、把持部４０の凸状部４１と頬部との相互間で作用する摩擦によって保持力が大きくなり、ハンドセット送受話器１Ａの装着感を安定させることができる。
【００８２】
また、本実施例２においても、実施例１と同様に、耳とイヤーフック３０との当接点であると共にハンドセット送受話器１Ａを支持する第１の支点Ｐ１と、スピーカ２、制御基板１２（図９）の配設位置（スピーカ２、制御基板１２の重量）に基づく重心Ｆとの離隔距離が所定の距離（図１７の距離Ｌ）となるように、イヤーフック３０の取り付け位置が設定されている。これにより、実施例１と同様に、ハンドセット送受話器１Ａは、第１の支点Ｐ１を中心として頬部側に回動し、頬部に沿って斜行した状態で装着させることができる。これにより、ハンドセット送受話器１Ａを安定した状態で装着することができると共に、回動に伴う押し付けにより発生する頬部と凸状部４１との摩擦により安定した保持力を得ることができる。
【００８３】
ここで、本実施例１、２のハンドセット送受話器は、ＵＳＢケーブル（通信ケーブル１１）を設けた有線接続により使用される送受話器を対象としているが、有線接続でないＢｌｕｅｔｏｏｔｈ（登録商標）などの無線通信を使用した送受話器においても本発明のハンドセット送受話器を適用することができる。
【符号の説明】
【００８４】
１、１Ａ  ハンドセット送受話器
２  スピーカ
３  スピーカ・カバー
４  上面カバー
５  円形凹部
６  下面カバー
７  円筒部
８  マイク
９  通話ボタン
１０  着信ランプ
１１  通信ケーブル
１２  制御基板
１３  コネクタ
１５  パソコン
１６  ＵＳＢ端子
１７  スタンド
２０  ハンドセット本体部
２１  前面ケース
２２  前面カバー
２３  側面カバー
２４、４０  把持部
２５  屈曲凹部
２５ａ  傾斜部
２５ｂ  湾曲部
２６  段部
２７  水平部
２９  背面カバー
３０  イヤーフック
３１  イヤーフック本体部
３１ａ  切り欠き部
３２  連結腕部
３３  嵌合孔
３４  ベース板部
３５  円孔部
３５ａ  端縁部
３６  円孔
３７  半円孔
３８  回動機構
【図１】
0005656587.tif 000002
【図２】
0005656587.tif 000003
【図３−１】
0005656587.tif 000004
【図３−２】
0005656587.tif 000005
【図４】
0005656587.tif 000006
【図５】
0005656587.tif 000007
【図６】
0005656587.tif 000008
【図７】
0005656587.tif 000009
【図８】
0005656587.tif 000010
【図９】
0005656587.tif 000011
【図１０】
0005656587.tif 000012
【図１１】
0005656587.tif 000013
【図１２】
0005656587.tif 000014
【図１３】
0005656587.tif 000015
【図１４】
0005656587.tif 000016
【図１５】
0005656587.tif 000017
【図１６】
0005656587.tif 000018
【図１７】
0005656587.tif 000019